(57)【特許請求の範囲】
【請求項１】
一対の部材から成り、部材はそれぞれ柄部と、栓又は蓋を挟持するための挟持部と、ヒンジ部とを有し、挟持部は柄部とヒンジ部の間に存在し、前記一対の部材は開いた位置と閉じた位置の間でヒンジ軸線を中心に回転するようにヒンジ部においてヒンジ結合され、前記ヒンジ部は、部材の長さ方向に突出しており、少なくとも１つの挟持部の内面に少なくとも２つの突起が設けられ、その少なくとも２つの突起の一方は挟持部の中央部に設けられ、他方の突起はそれよりもヒンジ部寄りに設けられ、前記一方の突起は他方の突起よりも突出度が大きいことを特徴とするビンなどのオープナー。
【請求項２】
両ヒンジ部が協働して指掛部を構成し、該指掛部は、使用時に指を掛けるために十分な長さで部材の長さ方向に突出している請求項１記載のオープナー。
【請求項３】
指掛部の厚み、すなわちオープナーを水平としたときの上下方向の厚みは、挟持部の厚みの２分の１以上で挟持部の厚みの２倍以下である請求項２記載のオープナー。
【請求項４】
柄部、挟持部及び指掛部の厚みがほぼ等しく、それぞれの外周面が、同じ曲率の弧状凸面をなしている請求項２又は請求項３記載のオープナー。
【請求項５】
両柄部はそれぞれ直線状に延び、両部材が閉じられたときに両柄部は沿うように平行であり、その閉じたときに両部材が開くことを防止するロック手段が両柄部の間に設けられている請求項１乃至請求項４のいずれか一項記載のオープナー。
【発明の詳細な説明】
【技術分野】
【０００１】
本発明は、シャンパンのビンやその他のビンなどのオープナーに関する。
【背景技術】
【０００２】
シャンパンのコルク栓を外すための器具は存在している（例えば、特許文献１参照。）。
【特許文献１】特表２００７−５０６６２２号公報
【発明の開示】
【発明が解決しようとする課題】
【０００３】
本発明は、柄部や挟持部が同じサイズのオープナーであっても、使用時における部材の開き角度をより小さくすることができるオープナーを提供することを課題とする。また、手を栓や蓋に被せた状態でオープナーを容易且つ確実に回転させて栓や蓋を外すことができるオープナーを提供することを課題とする。
【０００４】
特許文献１のオープナーは、一対のアゴ部すなわち挟持部が直接的にヒンジ結合しており、ヒンジ部がアゴ部から突出していない。したがって、コルク栓を挟持するためにアゴ部を大きく広げなければならない。その結果、部材の広がる角度も大きいから特に手の小さな女性や子供にとって使用しづらい。
【０００５】
また、自動車レースの表彰式で見かけるように、栓を押えておかないとシャンパンのコルク栓は勢い良く飛び出る。しかし、室内で栓を抜くときに栓を飛ばすことは危険であるし、できるだけ音をさせないように栓を抜くことが好ましい抜き方である。したがって、このようなときは手を栓に被せた状態でオープナーを回転させ、栓の飛び出しを防止する必要がある。
【０００６】
そこで本発明は、柄部や挟持部が同じサイズのオープナーであっても、使用時における部材の開き角度をより小さくすることができるオープナーを提供しようとするものである。また、シャンパンの栓のように飛び出す虞のある栓が飛び出すことを防止するために、手を栓に被せた状態でオープナーを確実に回転することができるオープナーを提供しようとするものである。
【課題を解決するための手段】
【０００７】
本発明の請求項１は、一対の部材から成り、部材はそれぞれ柄部と、栓又は蓋を挟持するための挟持部と、ヒンジ部とを有し、挟持部は柄部とヒンジ部の間に存在し、前記一対の部材は開いた位置と閉じた位置の間でヒンジ軸線を中心に回転するようにヒンジ部においてヒンジ結合され、前記ヒンジ部は、部材の長さ方向に突出しており、少なくとも１つの挟持部の内面に少なくとも２つの突起が設けられ、その少なくとも２つの突起の一方は挟持部の中央部に設けられ、他方の突起はそれよりもヒンジ部寄りに設けられ、前記一方の突起は他方の突起よりも突出度が大きい構成である。
【０００８】
請求項２は、両ヒンジ部が協働して指掛部を構成し、この指掛部は、使用時に指を掛けるために十分な長さで部材の長さ方向に突出している要素が請求項１に付加された構成である。
【０００９】
請求項３は、指掛部の厚み、すなわちオープナーを水平としたときの上下方向の厚みが、挟持部の厚みの２分の１以上で挟持部の厚みの２倍以下である要素が請求項２に付加された構成である。
【００１０】
請求項４は、柄部、挟持部及び指掛部の厚みがほぼ等しく、それぞれの外周面が、同じ曲率の弧状凸面をなしている要素が請求項２又は請求項３のいずれか一項に付加された構成である。
【００１１】
請求項５は、両柄部がそれぞれ直線状に延び、両部材が閉じられたときに両柄部は沿うように平行であり、その閉じたときに両部材が開くことを防止するロック手段が両柄部の間に設けられている要素が請求項１乃至請求項４のいずれか一項に付加された構成である。
【発明の効果】
【００１２】
請求項１は、一対の部材から成り、部材はそれぞれ柄部と、栓又は蓋を挟持するための挟持部と、ヒンジ部とを有し、挟持部は柄部とヒンジ部の間に存在し、前記一対の部材は開いた位置と閉じた位置の間でヒンジ軸線を中心に回転するようにヒンジ部においてヒンジ結合され、前記ヒンジ部は、部材の長さ方向に突出しており、少なくとも１つの挟持部の内面に少なくとも２つの突起が設けられ、その少なくとも２つの突起の一方は挟持部の中央部に設けられ、他方の突起はそれよりもヒンジ部寄りに設けられ、前記一方の突起は他方の突起よりも突出度が大きい。部材の長さ方向に突出したヒンジ部にヒンジ軸線が存在するので、従来のように挟持部が直接的にヒンジ結合している構成でなく、ヒンジ部が挟持部から離れた位置にある。これにより、柄部及び挟持部が同じサイズの本発明のオープナーと従来のオープナーで、同じ大きさの栓又は蓋を挟持部で挟んだときに、従来の挟持部が直接的にヒンジ結合している場合に比べて、本発明は使用時における部材の開き角度をより小さくすることができる。したがって、部材が大きく開いていないので操作がしやすく取り扱い易い。特に、手の小さな女性や子供にとっても取り扱い易いオープナーを提供することができる。また、仮に、中央部の突起がヒンジ部寄りの突起と同じ突出度であるときは、コルク栓を挟持して突起をコルク栓に差し込むときに、最初の段階でヒンジ部寄りの突起がコルク栓に深く差し込まれると、突起の多くは円錐形であるからそれ以上差し込まれない状態となる。そうすると、中央部の突起は突起の先端が少しだけ差し込まれるだけで十分に差し込まれない。そこで、中央部の突起の突出度をヒンジ部寄りの突起よりも大きくすることより、コルク栓を挟持するときにヒンジ寄りの突起と同じように中央部の突起をコルク栓に十分に差し込むことができる。これにより、コルク栓を確実に回転させることができる。
【００１３】
請求項２は、両ヒンジ部が協働して指掛部を構成し、この指掛部は、使用時に指を掛けるために十分な長さで部材の長さ方向に突出している。すなわち、両ヒンジ部を指掛部として使用することができる。このことは、例えばシャンパンのコルク栓を外す場合に、手をコルク栓の上に被せてオープナーの挟持部を囲むように手で掴んでオープナーを回転するときに、指を指掛部に掛けて回転することができる。これにより、オープナーを容易且つ確実に回転させることができる。手をコルク栓の上に被せてオープナーを回転することにより、シャンパンなどのように圧力がかかっているコルク栓の飛び出しを確実に防止してコルク栓を外すことができる。
【００１４】
請求項３は、指掛部の厚み、すなわちオープナーを水平としたときの上下方向の厚みが、挟持部の厚みの２分の１以上で挟持部の厚みの２倍以下である要素が請求項２に付加された構成である。指掛部の厚みが小さいと指を掛けてオープナーを回転するときに痛みを感じる。また、挟持部の厚みと指掛部の厚みとの差異が大きいと指掛部として取り扱いにくい。したがって、挟持部の厚みの２分の１以上で挟持部の厚みの２倍以下であると、指に痛みを感じることなく取り扱いが容易である。
【００１５】
請求項４は、柄部、挟持部及び指掛部の厚みがほぼ等しく、それぞれの外周面が、同じ曲率の弧状凸面をなしている。外周面が弧状凸面をなしているので、柄部及び挟持部の断面形状はほぼかまぼこ状である。オープナーを握るときは外周面を手で包むようにして握るので、外周面の弧状凸面がその包むように丸めた手の内面になじんで握り易い。したがって、オープナーを回転するときに痛みを感じる虞がない。そして、オープナーのどの部分も厚みがほぼ等しく同じ曲率の弧状凸面である。したがって、オープナーを手で握って回転させるときに、オープナーのどの部分を握っても同じ弧状凸面であるから、使用者が自分の手に合ったどの部分を握っても一様な滑らかな凸面であるから痛みを感じることがない。特に、指掛部に掛けた指には大きな力が加わるが、ヒンジ部の外周面も柄部や挟持部の外周面と同じ弧状凸面をなしているので、指掛部に掛けた指が特に痛みを感じることがない。
【００１６】
請求項５は、両柄部がそれぞれ直線状に延び、両部材が閉じられたときに両柄部は沿うように平行であり、その閉じたときに両部材が開くことを防止するロック手段が両柄部の間に設けられている。両柄部は直線状に延びて、両部材を閉じたときに両柄部が沿うように平行であるから、両部材はほぼ間隔を置かずに閉じることができる。そして、その閉じた状態で両柄部間にロック手段が設けられているので、コンパクトな状態で保管することができる。
【発明を実施するための最良の形態】
【００１７】
次に、本発明の実施の形態について説明する。この実施形態のオープナー１は、シャンパンのコルク栓を外すためのものである。オープナー１は細長く延びる一対の部材２，３から成る。一方の部材２は、直線状に延びる柄部４と、この柄部４に連なる挟持部５と、この挟持部５に連なるヒンジ部６とから成る。また、部材３も、直線状に延びる柄部７と、この柄部７に連なる挟持部８と、この挟持部８に連なるヒンジ部９とから成る。この部材２，３の材料はアルミニウムであって、ダイキャストによって形成される。ただし、アルミニウム以外の材料を用いてもよく、複数の材料を組合わせて用いてもよい。例えば、柄部４，７の一部又は全部に部材２，３とは異なる材質のグリップを設けてもよい。異なる材質として例えば合成樹脂や木材を用いてもよい。
【００１８】
図１に示すように、両部材２，３の挟持部５，８は円弧をなすように弧状に曲がっている。挟持部５、８の内面にはそれぞれ３つの突起１０，１１，１２，１３，１４，１５が設けられている。それらの突起の先端は鋭く尖っている。コルク栓に差し込むためである。挟持部５の中央部に設けられた突起１１はその隣の突起１０，１２よりも突出度が大きい。それと対称になるように、挟持部８の中央部に設けられた突起１４はその隣の突起１３，１５よりも突出度が大きい。ここで特に意味がある構成は、両部材２，３の中央部の突起１１，１４がそれよりもヒンジ部６，９寄りの突起１０，１３よりも突出度が大きい構成である。仮に、中央部の突起１１，１４がヒンジ部寄りの突起１０，１３と同じ突出度であるときは、コルク栓を挟持して突起をコルク栓に差し込むときに、最初の段階でヒンジ部寄りの突起１０，１３がコルク栓に深く差し込まれると、突起の多くは円錐形であるからそれ以上差し込まれない状態となる。そうすると、中央部の突起１１，１４は突起の先端が少しだけ差し込まれるだけで十分に差し込まれない。この結果、コルク栓を回転する力はほとんどヒンジ部寄りの突起１０，１３に集中し、この部分のコルク栓が破損する虞がある。これを防止するために、中央部の突起１１，１４の突出度をヒンジ部６，９寄りの突起１０，１３よりも大きくすることより、コルク栓を挟持するときにヒンジ部寄りの突起１０，１３と同じように中央部の突起１１，１４をコルク栓に十分に差し込むことができるようにしたものである。これにより、力がコルク栓に確実に伝えられてコルク栓が確実に回転し、コルク栓を抜くことができる。しかし、本発明がこの構成に限定されるものではない。
【００１９】
図３に示すように、突起１１，１４はそれぞれ挟持部５，８と一体に形成されている。すべての突起はそれが設けられている挟持部と一体に形成されている。挟持部５，８のそれぞれの外周面１６，１７は弧状凸面をなしている。弧状凸面をなしているので、挟持部５，８の断面形状はほぼかまぼこ状である。挟持部５，８の外周面がこのような形状に形成されているので、この部分を手で包むように握ったときに手になじんで握り易い。
【００２０】
両部材２，３のヒンジ部６，９は、図１に示すようにほぼ円形を基礎とした形状に形成されている。両ヒンジ部６，９は重ね合わされ、ヒンジ軸２０により結合されている。両部材２，３は、このヒンジ軸２０の中心線であるヒンジ軸線を中心に開閉する。前述したように、両ヒンジ部６，９はほぼ円形を基礎とした形状であるから、ヒンジ軸２０を中心にヒンジ部６とヒンジ部９とが反対方向に回転して互いに位置がずれても、２枚の円板が同じ回転軸を中心に反対方向に回転するのと同様に、ヒンジ部６の一部がヒンジ部９の外縁からはみ出すことがない。したがって、この回転後のヒンジ部６，９を握ったり指を掛けたりしても痛みを感じることがない。この重ね合わされたヒンジ部６とヒンジ部９とが協働して指掛部１８として機能する。
【００２１】
両部材２，３の柄部４，７はほぼ同形の同じ長さに形成されている。両柄部４，７はそれぞれの挟持部５，８の端部から直線状に延びている。図１に示すように、両部材２，３が閉じられたときに、両柄部４，７は沿うように平行である。後述するように、柄部４，７の間には閉じた両部材２，３が開くことを防止するロック手段が設けられている。したがって、コンパクトな状態でオープナー１を保管できる。また、ポケットに入れて携帯するときも嵩張らない。後述するように、柄部４に設けられたボタン１９は両柄部４，７のロック状態を解除するためのものである。
【００２２】
図２に示すように、柄部４と挟持部５の厚み、すなわち図２において横方向のそれらの厚みは等しい。同じように、柄部７と挟持部８の厚みも等しい。また、柄部４の断面形状は挟持部５の断面形状とほぼ同じで、柄部７の断面形状と挟持部８の断面形状もほぼ同じである。部材２のヒンジ部６の厚みは挟持部５の厚みの半分であって、図２においてヒンジ部６は長さ方向に延びる中心線の左側に位置する。そして、部材３のヒンジ部９もヒンジ部６と同じ形状であり、図２において長さ方向に延びる中心線の右側に位置する。両ヒンジ部６，９が重なって指掛部１８が構成される。この指掛部１８の外周面は、両挟持部５，８と同じ曲率の弧状凸面をなしている。したがって、両挟持部５，８を手で握ったときに指掛部１８に違和感なく指を掛けることができる。図４に示すように、オープナー１の柄部４，７と挟持部５，８と指掛部１８の外周面はいずれも同じ曲率の弧状凸面をなしているから、手でどの部分を握ったり指を掛けたりしても違和感なく手にフィットし、コルク栓を確実に回転させることができる。指掛部１８は、長さ方向に延びる中心線の左右に存在する２つのヒンジ部６，９を重ねたものに限定されるものでない。例えば、ヒンジ部６の厚みは挟持部５の厚みの半分として、このヒンジ部６の厚みの中心線と挟持部５の厚みの中心線が一致する位置にヒンジ部６を設け、ヒンジ部９は２つに分けてそれぞれヒンジ部６の厚みの半分とし、その２つに分けられたヒンジ部９でヒンジ部６を挟む構成であってもよい。
【００２３】
次に、部材２，３のロック手段について説明する。図７は、部材２，３がロックされた状態を示す断面図である。一部にハッチングを省略した部分がある。部材３のヒンジ部９の内面２１は平面に形成され、ヒンジ軸２０の周囲にバネ溝２２が設けられている。ヒンジ部９の内面２１と当接するヒンジ部６の内面（図示せず。）にもバネ溝が設けられている。これら２つのバネ溝にコイルバネ２３を組み込むことにより、このコイルバネ２３の弾性力により部材２，３が開く方向に付勢されている。また、部材２，３の開きすぎを規制するための規制突起２４が部材３の内面２１に設けられている。そして、部材２の内面には、この規制突起２４の案内溝（図示せず。）が設けられている。規制突起２４が案内溝内を移動することによって部材２，３は開閉する。部材２，３が所定の角度まで開いたときに、規制突起２４が案内溝の端部に当たることにより部材２，３がそれ以上の角度に開くことを規制する。所定の角度としては３０度〜４５度程度が好ましい。
【００２４】
図７に示すように、部材２に取り付けられたボタン１９は、コイルバネ２５によって表面方向に付勢されている。また、爪２６が支軸２７を中心にして回転可能に部材２に取り付けられている。さらに、爪２６の端部に設けられた突部３０が部材３の係止部３１に圧接状態で係止し、コイルバネ２５の弾性力によって部材２，３が開くことをロックしている。ロックを解除するときは、ボタン１９を押圧して降下させる。図８に示すように、ボタン１９が降下するとその突部２８が爪２６の受け部２９を押圧し、爪２６は支軸２７を中心に反時計回りに回転する。この爪２６の回転により、爪２６の突部３０が支軸２７を中心に反時計回りに回転して係止部３１との係止が外れロックが解除される。ロックが解除されると、コイルバネ２３の弾性力により突部３０が孔部３６から抜け出て部材２，３は自然に広がる。図５に示すように部材２，３を開いた後で再びロックするときは、片手で部材２，３を握って一杯に閉じると、突部３０の端部に形成された傾斜面３７が孔部３６の縁に当たって自動的に爪２６が回転し、突部３０は孔部３６に挿入されて自動的にロックされる。また、部材２，３を開く方向に付勢するコイルバネ２３のバネ定数はボタン１９を支持するコイルバネ２５のバネ定数よりも大きい。したがって、閉じている部材２，３を開くときに片手で部材２，３を握ってボタン１９を押すが、そのときにコイルバネ２３のバネ定数のほうが大きいのでボタン１９を押した状態を維持したままで部材２，３を自動的に開いていくことができる。このようにして、部材２，３の開閉は片手で行うことができる。図１に示すように、部材２，３を閉じたときに柄部４，７は沿うように平行であって、爪２６は柄部４，７に隠れるから外観が良好である。
【００２５】
次に、本発明の使用方法について説明する。通常、シャンパンのコルク栓には飛び出しを防止するためのワイヤーが被されているので、コルク栓を外す前にこのワイヤーを取り除く。次いで、挟持部５，８でコルク栓を挟む。このとき、手でコルク栓の頭を押しながら挟むとコルク栓が不意に飛び出ることを防止できる。次に、柄部４，７を握って部材２，３が閉じる方向に力を加え、各突起１０〜１５をコルク栓に差し込む。次に、図６に示すように、手をコルク栓の上から被せて挟持部５，８を包むように握り、人差し指３２を指掛部１８に掛ける。また、親指３５の腹を指掛部１８に掛ける。これにより、人差し指３２と親指３５の腹とを指掛部１８の両側に掛けた状態となる。また、少なくとも小指３４は柄部４に掛けた状態にあることが好ましい。
【００２６】
次に、ビン３３の下方部分を手で持ち、オープナー１を持っている手でオープナー１を左右に少しずつ回転させる。このとき、オープナー１を時計回りに回転させるときは、手で挟持部５，８及び柄部４，７に力を加えると共に親指３５の腹で指掛部１８に力を加えることにより円滑且つ確実に回転可能である。また、オープナー１を反時計回りに回転させるときは、手で挟持部５，８及び柄部４，７に力を加えると共に人差し指３２で指掛部１８に力を加えることにより円滑且つ確実に回転可能である。何度か回転を繰り返したり回転と共に小刻みにコルク栓を引き上げることにより、ビン３３の中の炭酸ガスの圧力でコルク栓が抜け始めるので、手でコルク栓を押えながらゆっくりと外していく。最後は、できるだけ音をさせないようにコルク栓を抜くのが好ましいので、コルク栓を倒しながらビン３３の中の圧力を少しずつ減らしてコルク栓を抜く。この際、作業の当初から手をコルク栓の上に被せてあるので、そのままの状態でコルク栓を押えることができ、作業の途中でコルク栓が飛び出すことを防止できる。以上は、ビン３３を固定してオープナー１を回転させる方法について説明したが、オープナー１を固定してビン３３を回転させることによりコルク栓を抜くこともできる。
【００２７】
次に、本発明の実施形態におけるサイズについて説明する。オープナー１の全長は約１１０ｍｍであり、長さ方向に測った挟持部５又は挟持部８の長さは約４０ｍｍであり、柄部４又は柄部７の長さは約５０ｍｍである。指掛部１８の挟持部５，８からの突出度は約２０ｍｍである。挟持部５又は挟持部８の長さと指掛部１８の合計の長さは約６０ｍｍであって、柄部４又は柄部７はそれよりも短い。したがって、オープナー１の使用時に挟持部５，８を手で握って回転させるときに、柄部４，７が握っている手から大きく突出しないので邪魔にならない。また、部材２，３をロック状態としたときの幅は挟持部５，８の部分で最大となり約４０ｍｍである。また、オープナー１の厚みは柄部、挟持部及び指掛部のいずれも同じで約１４ｍｍである。柄部４，７や挟持部５，８はコルク栓を挟んだときに手のひらで包むように持つことができる大きさが好ましい。また、弧状凸面をなす挟持部５，８の断面弧状部の半径は約７ｍｍであるが、断面形状が半円形に限定されるものではない。本発明がこれらの数値に限定されないことは勿論である。
【図面の簡単な説明】
【００２８】
【図１】本発明の正面図
【図２】本発明の右側面図
【図３】図１におけるＡ−Ａ端面図
【図４】本発明の斜視図
【図５】本発明を開いた正面図
【図６】本発明の使用状態図
【図７】部材のロック状態を示す断面図
【図８】部材のロック解除状態を示す断面図
【図９】コイルバネの斜視図
【符号の説明】
【００２９】
１  オープナー、    ２  部材、    ３  部材、    ４  柄部、    ５  挟持部、    ６  ヒンジ部、    ７  柄部、    ８  挟持部、    ９  ヒンジ部、    １０〜１５  突起、    １６  外周面、    １７  外周面、    １８  指掛部、    １９  ボタン、    ２０  ヒンジ軸、    ２１  ヒンジ部の内面、    ２２  バネ溝、    ２３  コイルバネ、    ２４  規制突起、    ２５  コイルバネ、    ２６  爪、    ２７  支軸、    ２８  突部、    ２９  受け部、    ３０  突部、    ３１  係止部、    ３２  人差し指、    ３３  ビン、    ３４  小指、    ３５  親指、    ３６  孔部、    ３７  傾斜面
【図１】
0005345799.tif 000002
【図２】
0005345799.tif 000003
【図３】
0005345799.tif 000004
【図４】
0005345799.tif 000005
【図５】
0005345799.tif 000006
【図６】
0005345799.tif 000007
【図７】
0005345799.tif 000008
【図８】
0005345799.tif 000009
【図９】
0005345799.tif 000010